(57)【要約】      （修正有）【課題】ブラケット及びスライドレール間に良好な支持効果を実現するブラケット及びスライドレールの支持構造を提供する。【解決手段】ブラケット１０は一対のサポート部１４と側面部１６を備え、側面部１６はサポート部１４間に延伸し、且つ側面部１６はサポート部１４と共に通路１８を形成する。各サポート部１４は通路１８を向く第一突起２４を備え、第一突起２４は支持面２８を備える。スライドレール１２はブラケットの通路内に縦方向に連接し、一対の外壁３０と側壁３２を含む。外壁３０はブラケットのサポート部に相隣し、側壁３２は一対の外壁間に延伸すると共に、ブラケットの側面部に相隣する。各外壁３０は押圧面４０を備える突出部３８を有し、押圧面４０及び支持面２８は互いに向き合う。スライドレール１２の外壁３０がブラケット１０のサポート部１４に沿って移動する時、該突出部３８の押圧面４０は第一突起２４の支持面２８を押止する。【選択図】図２
0003174265.tif 000002
【実用新案登録請求の範囲】
【請求項１】
ブラケット及びスライドレールの支持構造において、
ブラケットは一対のサポート部と側面部を備え、前記側面部は前記サポート部間に延伸し、側面部はサポート部と共に通路を形成し、
スライドレールはブラケットの通路内に縦方向に連接し、一対の外壁と側壁を含み、外壁はブラケットのサポート部に相隣し、側壁は一対の外壁間に延伸し、側壁はブラケットの側面部に相隣し、
一対のサポート部の各サポート部には側面部から延伸する第一サポート段と、第一サポート段から屈曲して延伸する第二サポート段と、通路を向く少なくとも一つの第一突起を含み、第一突起は支持面を備え、一対の外壁の各外壁は、側壁から延伸する第一屈曲段と、第一屈曲段から延伸する第二屈曲段と、少なくとも一つの突出部を含み、該突出部は押圧面を備え、押圧面と支持面は互いに向き合い、スライドレールの外壁がブラケットのサポート部に沿って移動する時、突出部の押圧面は第一突起の支持面を押止することを特徴とする、ブラケット及びスライドレールの支持構造。
【請求項２】
前記第二サポート段は通路を向くサポート面を備え、且つ第二サポート段は第二屈曲段に相隣し、第一屈曲段は通路に向く第一屈曲面を備え、第二屈曲段は第二サポート段のサポート面に対応する第二屈曲面を備えることを特徴とする、請求項１に記載のブラケット及びスライドレールの支持構造。
【請求項３】
前記第一突起は第二サポート段のサポート面からプレス成形し、通路に突出させることを特徴とする、請求項２に記載のブラケット及びスライドレールの支持構造。
【請求項４】
前記突出部は外壁の第一屈曲段からプレス成形し、第一屈曲面に突出させることを特徴とする、請求項２に記載のブラケット及びスライドレールの支持構造。
【請求項５】
前記ブラケット及びスライドレールの支持構造は、前記の一対の第二屈曲段より向き合う状態で延伸する一対の延伸段をさらに含み、延伸段は側壁にほぼ平行することを特徴とする、請求項２に記載のブラケット及びスライドレールの支持構造。
【請求項６】
前記第一突起は第二サポート段の屈曲箇所からプレス成形し、且つ通路に突出させ、第一サポート段に設置する第二突起はスライドレールの突出部へ向き、突出部と圧し合うことを特徴とする、請求項２に記載のブラケット及びスライドレールの支持構造。
【請求項７】
前記第二突起と前記第一突起はほぼ90度をなして連接することを特徴とする、請求項６に記載のブラケット及びスライドレールの支持構造。
【請求項８】
少なくとも一つの突出部を備えると共に、第一屈曲段と、第一屈曲段から延伸する第二屈曲段とを含む一対の外壁と、一対の外壁間に延伸し、外壁と共に縦方向の長さを備える側壁と、を含むスライドレールにおいて、
前記突出部は押圧面を備え、第一屈曲段は側壁から延伸し、第一屈曲段は第一屈曲面を備え、第二屈曲段は第二屈曲面を備え、突出部は第一屈曲面に突出させ、且つ押圧面は第二屈曲面に相隣することを特徴とする、スライドレール。
【請求項９】
前記突出部は、外壁の第一屈曲段よりプレス成形されることにより、押圧面を第一屈曲面に突出させると共に、側壁にほぼ平行するように構成したことを特徴とする、請求項８に記載のスライドレール。
【請求項１０】
前記スライドレールは、一対の第二屈曲段より向き合う状態で延伸する一対の延伸段をさらに含み、延伸段は側壁にほぼ平行することを特徴とする、請求項８に記載のスライドレール。
【考案の詳細な説明】
【技術分野】
【０００１】
本考案は、特に良好な支持効果を発揮するブラケット及びスライドレールの支持構造に関する。
【背景技術】
【０００２】
ブラケット及びスライドレールの支持構造については、シルベストロ（Silvestro）らによる特許文献１の「Adjustable  side  rails  and  method  of  attaching  same  to  mounting  rails  of  cabinet  racks（調整可能なサイドレール及びキャビネットラックのマウントレールへの装着方法）」、デュボン（Dubon）らによる特許文献２の「Adjustable  reinforcing  bracket  for  telescoping  slide  rail  assembly（スライドレール部材嵌合のための調整可能補強ブラケット）」、リアン（Liang）による特許文献３の「Rail  device  for  extracting  computer  equipment（コンピュータ機器取出用レール装置）」が既に開示されており、先行技術文献として取り上げる。
【０００３】
一般にスライドレールは、相対して伸縮する複数のレール部材と、それぞれをスライドレールの前端及び後端に連結する前後各ブラケットとを含み、後ブラケットはスライドレールと可動状態で連結し、その連結長さを調整するのを助ける。ブラケットを含むスライドレールをサーバのラックシステム（rack  system）に応用する場合、前記の前後ブラケットをラック（rack）に取り付けることにより、サーバ（server）をスライドレールに据え付けることができ、サーバのケーブルを整理するために、スライドレールの後端にケーブル管理アーム（cable  management  arm）を連接する。該ケーブル管理アームはケーブルを積載しなければならないため、ケーブル管理アーム及びケーブル全体が相当な重量となる。一旦、後ブラケットに対応するスライドレール後端が支えるケーブル管理アームの重量が超過すると、後ブラケットに対するスライドレールは容易に下垂するかねじれて回転し、支持の安定性に影響を及ぼす。
【先行技術文献】
【特許文献】
【０００４】
【特許文献１】米国特許第第7,188,916号公報
【特許文献２】米国特許出願公開第2006/0152115号公報
【特許文献３】米国特許出願公開第2008/0036347号公報
【考案の概要】
【考案が解決しようとする課題】
【０００５】
前述の問題点に鑑み、それらを解決すべく解決手段の提供が必要となった。
【０００６】
そこで、本考案の目的は、ブラケット及びスライドレール間に良好な支持効果を実現するブラケット及びスライドレールの支持構造を提供することにある。
【課題を解決するための手段】
【０００７】
本考案の実施例に基づくブラケット及びスライドレールの支持構造において、ブラケットは一対のサポート部と側面部を備え、該側面部はサポート部間に延伸し、尚且つ側面部はサポート部と共に通路を形成する。スライドレールはブラケットの通路内に縦方向に連接し、一対の外壁と側壁を含む。該外壁はブラケットのサポート部に相隣し、側壁は一対の外壁間に延伸し、側壁はブラケットの側面部に相隣し、その特徴は、一対のサポート部の各サポート部には側面部から延伸する第一サポート段と、第一サポート段から屈曲して延伸する第二サポート段と、通路を向く少なくとも一つの第一突起を含み、第一突起には支持面を備える。一対の外壁の各外壁には、側壁から延伸する第一屈曲段と、第一屈曲段から延伸する第二屈曲段と、少なくとも一つの突出部を含み、少なくとも一つの突出部は押圧面を備え、押圧面及び支持面は互いに向き合う。スライドレールの外壁がブラケットのサポート部に沿って移動する時、少なくとも一つの突出部の押圧面は少なくとも一つの第一突起の支持面を押止する。
【０００８】
好ましくは、第二サポート段は通路を向くサポート面を備え、尚且つ第二サポート段は第二屈曲段に相隣し、第一屈曲段には通路に向く第一屈曲面を備え、第二屈曲段には第二サポート段のサポート面に対応する第二屈曲面を備える。
【０００９】
好ましくは、少なくとも一つの第一突起は第二サポート段のサポート面からプレス成形し、通路に突出させる。
【００１０】
好ましくは、突出部は外壁の第一屈曲段からプレス成形し、第一屈曲面に突出させる。
【００１１】
好ましくは、一対の第二屈曲段より向き合う状態で延伸する一対の延伸段をさらに含み、該延伸段は側壁にほぼ平行する。
【００１２】
好ましくは、少なくとも一つの第一突起は第二サポート段の屈曲箇所からプレス成形し、尚且つ通路に突出させる。また、第一サポート段に設置する第二突起はスライドレールの突出部を向き、尚且つ突出部を互いに圧する。
【００１３】
好ましくは、第二突起及び少なくとも一つの第一突起はほぼ90度をなして連接する。
【００１４】
本考案のもう一つの実施例では、スライドレールは一対の外壁と側壁を含む。各外壁には少なくとも一つの突出部を備え、各外壁は第一屈曲段と、第一屈曲段から延伸する第二屈曲段とを含み、一対の外壁間に延伸する側壁及び一対の外壁はどちらも縦方向の長さを備える。その内、少なくとも一つの突出部は押圧面を備え、第一屈曲段は側壁から延伸し、第一屈曲段には第一屈曲面を備え、第二屈曲段には第二屈曲面を備え、突出部は第一屈曲面に突出させ、尚且つ押圧面は第二屈曲面に相隣する。
【００１５】
好ましくは、少なくとも一つの突出部を外壁の第一屈曲段よりプレス成形することにより、押圧面を第一屈曲面に突出させ、該押圧面は側壁にほぼ平行する。
【００１６】
好ましくは、一対の第二屈曲段より向き合う状態で延伸する一対の延伸段を含み、該延伸段は側壁にほぼ平行する。
【考案の効果】
【００１７】
本考案のブラケット及びスライドレールの支持構造は、ブラケットとスライドレール間に良好な支持効果を実現する。
【図面の簡単な説明】
【００１８】
【図１】本考案に係る実施例の分解斜視図である。
【図２】本考案に係る実施例の側断面図である。
【図３】複数の突起及び突出部を含む本考案に係る実施例の分解図である。
【図４】本考案に係る実施例が重力を受けた時の側断面図である。
【図５】本考案のもう一つの実施例の組立時の側断面図である。
【考案を実施するための形態】
【００１９】
以下に図面を参照しながら本考案を実施するための最良の形態について詳細に説明する。
【００２０】
図１及び図２に示す本考案の実施例は、ブラケット10及びスライドレール12の支持構造である。ブラケット10は一対のサポート部14と側面部16を備え、その内、側面部16はサポート部14間に延伸し、尚且つ側面部16はサポート部14と共に通路18を形成する。本実施例において、各サポート部14には側面部16から延伸する第一サポート段20と、第一サポート段20から延伸する第二サポート段22と、通路18を向く第一突起24を含む。その内、第二サポート段22には通路18を向くサポート面26を備え、第一突起24は支持面28を備える。好ましくは、第一突起24は第二サポート段22のサポート面26からプレス成形し、且つ通路18まで突出させる。
【００２１】
スライドレール12はブラケット10の通路18内に縦方向に連接し、一対の外壁30と側壁32を含む。その内、外壁30はブラケット10のサポート部14に相隣し、側壁32は一対の外壁30間に延伸し、側壁32はブラケット10の側面部16に相隣する。本実施例において、一対の外壁30中の各外壁30は、側壁32から延伸する第一屈曲段34と、第一屈曲段34から延伸する第二屈曲段36と、該外壁30の外面に設置する突出部38を含む。その内、突出部38は第一突起24の支持面28に対応する押圧面40を備え、押圧面40及び支持面28は互いに向き合う。第二屈曲段36及び第二サポート段22は相隣し、第一屈曲段34は通路18を向く第一屈曲面42を備え、第二屈曲段36は第二サポート段22のサポート面26に対応する第二屈曲面44を備える。好ましくは、突出部38の押圧面40は第二屈曲面44に相隣し、押圧面40は側壁32にほぼ平行する。
【００２２】
実施例において、突出部38は外壁30の第一屈曲段34よりプレス成形し、第一屈曲面42に突出させる。
【００２３】
実施例において、一対の第二屈曲段36より向き合う状態で延伸する一対の延伸段46をさらに含み、該延伸段46は側壁32にほぼ平行する。
【００２４】
実施例において、ブラケット10の一対の第二サポート段22は、ブラケット10の一対の第一サポート段20より屈曲する状態で延伸し、第二サポート段22はスライドレール12の一対の第二屈曲段36に相隣する。
【００２５】
図３に示すとおり、実施例ではブラケット10に縦方向の長さを備えさせ、ブラケット10の各サポート部14には通路18に向く複数の第一突起24aを備え、スライドレール12の側壁32と一対の外壁30には縦方向の長さを備えさせ、スライドレール12の各外壁30には複数の突出部38aを設ける。
【００２６】
図４では、ブラケット10をラック48（rack）に取り付け、スライドレール12を複数のレール体によって組み合わせる形態でケーブル管理アーム50（cable management arm）に連結することを示す。前述した本考案の配置に基づくと、例えケーブル管理アーム50の重量が原因でブラケット10に対応するスライドレール12が下垂するかねじれて回転したとしても、スライドレール12の外壁30はブラケット10のサポート部14に沿って移動し、スライドレール12の突出部38の押圧面40がブラケット10の第一突起24の支持面28を押止するため、スライドレール12がブラケット10からの離脱を確実に防ぐことができる。
【００２７】
図５に示すとおり、本実施例において、第一突起24bは第二サポート段22bの屈曲箇所からプレス成形し、通路18bに突出させる。各サポート部14bは第一サポート段20bに設置し、且つスライドレール12bの突出部38b方向の第二突起52を少なくとも備え、第二突起52と突出部38bとは相互に圧する。好ましくは第二突起52と第一突起24bはほぼ90度で連接する。その内、スライドレール12bの外壁30bがブラケット10bのサポート部14bに沿って移動する時、ブラケット10bの第二サポート段22bはスライドレール12bの第二屈曲段36bを圧した状態で沿わせるため、ブラケット10bに対するスライドレール12bの支持安定性を強化する。
【符号の説明】
【００２８】
10：ブラケット
12：スライドレール
14：サポート部
16：側面部
18：通路
20：第一サポート段
22：第二サポート段
24：第一突起
26：サポート面
28：支持面
30：外壁
32：側壁
34：第一屈曲段
36：第二屈曲段
38：突出部
40：押圧面
42：第一屈曲面
44：第二屈曲面
46：延伸段
48：ラック
50：ケーブル管理アーム
52：第二突起
24a：第一突起
38a：突出部
10b：ブラケット
12b：スライドレール
14b：サポート部
18b：通路
20b：第一サポート段
22b：第二サポート段
24b：第一突起
30b：外壁
36b：第二屈曲段
38b：突出部
【図１】
0003174265.tif 000003
【図２】
0003174265.tif 000004
【図３】
0003174265.tif 000005
【図４】
0003174265.tif 000006
【図５】
0003174265.tif 000007